(57)【要約】【課題】ユーザの操作性を向上させること。【解決手段】画像記録装置と携帯端末の何れか一方が、画像記録装置と携帯端末との間で第１無線通信が確立される毎に、携帯端末の姿勢に関する信号をセンサから取得する。そして、取得した複数の信号から、携帯端末の姿勢の変化を示す変化情報を生成し、生成した変化情報に基づいて、画像記録装置の画像記録に関する少なくとも一つの設定項目の設定値を設定する。また、携帯端末から画像記録装置に対して、第１無線通信よりも通信速度が速い第２無線通信にて画像データが送信される。そして、画像記録装置において、設定した設定項目の設定値に従って、携帯端末から受信した画像データに係る画像を記録媒体に記録する。【選択図】図８
2014167747.tif 000002
【特許請求の範囲】
【請求項１】
携帯端末と、記録媒体に画像を記録する画像記録装置とを含む画像記録システムであって、
前記携帯端末は、
画像データを記憶する記憶手段と、
前記携帯端末と前記画像記録装置との間の距離が所定の通信可能距離内となる場合に確立される第１無線通信にて、前記画像記録装置との間でデータ通信を行うための携帯端末側第１通信手段と、
前記携帯端末及び前記画像記録装置のそれぞれに係る通信設定情報に基づいて確立され、前記第１無線通信よりも通信速度が速い第２無線通信にて、前記画像記録装置との間でデータ通信を行うための携帯端末側第２通信手段と、
当該携帯端末の姿勢に関する信号を出力するセンサと、
携帯端末側制御手段と
を備え、
前記携帯端末側制御手段が、
前記携帯端末側第１通信手段により前記第１無線通信を行うことが可能であり、
前記携帯端末側第２通信手段により前記第２無線通信を行うことが可能であり、
前記第１無線通信により、前記携帯端末に係る前記通信設定情報の送信、及び前記画像記録装置に係る前記通信設定情報の受信の少なくとも何れかを行い、
前記第２無線通信により、前記記憶手段に記憶された画像データを前記画像記録装置に送信するものであり、
前記画像記録装置は、
前記画像データに係る画像を記録媒体に記録する記録手段と、
前記第１無線通信を行うための画像記録装置側第１通信手段と、
前記第２無線通信を行うための画像記録装置側第２通信手段と、
画像記録装置側制御手段と
を備え、
前記画像記録装置側制御手段が、
前記画像記録装置側第１通信手段により前記第１無線通信を行うことが可能であり、
前記画像記録装置側第２通信手段により前記第２無線通信を行うことが可能であり、
前記第１無線通信により、前記携帯端末側制御手段の制御に従い送信された前記携帯端末に係る前記通信設定情報の受信、及び前記携帯端末側制御手段の制御に従い受信される前記画像記録装置に係る前記通信設定情報の送信の少なくとも何れかを行うものであり、
前記携帯端末側制御手段が、
前記センサから出力される前記信号を前記第１無線通信が確立される毎に取得し、
前記携帯端末側制御手段及び前記画像記録装置側制御手段の何れか一方が、
前記携帯端末側制御手段が取得した複数の前記信号から、前記携帯端末の姿勢の変化を示す変化情報を生成し、生成した前記変化情報に基づいて、前記画像記録装置の画像記録に関する少なくとも一つの設定項目の設定値を設定し、
前記画像記録装置側制御手段が、
前記設定項目の設定値に従って、前記第２無線通信により受信した前記画像データに係る画像を記録媒体に記録させるように前記記録手段を制御することを特徴とする画像記録システム。
【請求項２】
前記携帯端末側制御手段及び前記画像記録装置側制御手段の何れか一方は、前記携帯端末側制御手段がｎ＋１（ｎは、１以上の整数）回目に前記第１無線通信が確立された時に前記センサから取得した前記信号と、ｎ回目に前記第１無線通信が確立された時に取得した前記信号と、から生成した前記変化情報に基づいて、少なくとも一つの前記設定項目の設定値を設定することを特徴とする請求項１に記載の画像記録システム。
【請求項３】
前記設定項目は複数あり、
前記携帯端末側制御手段及び前記画像記録装置側制御手段の何れか一方は、２回目以降に前記第１無線通信が確立された時に前記携帯端末側制御手段が取得した前記信号と、それ以前に前記第１無線通信が確立された時に前記携帯端末側制御手段が取得した前記信号と、から前記変化情報を生成し、前記変化情報に基づいて複数の前記設定項目それぞれの設定値を設定、することを特徴とする請求項１又は２に記載の画像記録システム。
【請求項４】
前記携帯端末及び前記画像記録装置の何れか一方に、前記設定項目の規定の設定値を記憶する規定設定記憶手段を更に備えており、
前記画像記録装置側制御手段は、
前記第１無線通信が最初に確立された後、当該第１無線通信が切断されたときから、所定時間が経過するまでに前記第１無線通信が再度確立されなかった場合には、前記規定設定記憶手段に記憶された前記設定項目の規定の設定値に従って、前記第２無線通信により受信した前記画像データに係る画像を記録媒体に記録させるよう前記記録手段を制御することを特徴とする請求項１〜３の何れか一項に記載の画像記録システム。
【請求項５】
前記携帯端末側制御手段及び前記画像記録装置側制御手段の何れか一方は、ｍ回目（ｍは、２以上の整数）に前記第１無線通信が確立された時に前記携帯端末側制御手段が取得した前記信号と、それ以前に前記第１無線通信が確立された時に前記携帯端末側制御手段が取得した前記信号と、から生成された前記変化情報が、閾値以上の変化を示さない場合には、前記設定項目の設定値を設定する代わりに、すでに設定されている前記設定項目の設定値を確定するものであり、
前記画像記録装置側制御手段は、前記設定項目の設定値が確定された後に、当該設定項目の設定値に従って、前記第２無線通信により受信した前記画像データに係る画像を記録媒体に記録させるよう前記記録手段を制御することを特徴とする請求項１〜４の何れか一項に記載の画像記録システム。
【請求項６】
前記携帯端末側制御手段は、
前記第１無線通信が確立された時に取得した前記信号を、当該第１無線通信により前記画像記録装置へ送信し、
前記画像記録装置側制御手段は、
前記第１無線通信が確立される毎に前記信号を受信し、
受信した複数の前記信号から、前記変化情報を生成し、
生成した前記変化情報に基づいて、前記設定項目の設定値を設定し、
設定した前記設定値に従って、前記第２無線通信により受信した前記画像データに係る画像を前記記録媒体に記録させるよう前記記録手段を制御することを特徴とする請求項１〜５の何れか一項に記載の画像記録システム。
【請求項７】
携帯端末と通信可能な画像記録装置であって、
画像データに係る画像を記録媒体に記録する記録手段と、
送信元及び受信間の距離が所定の通信可能距離内となる場合に確立される第１無線通信にてデータ通信を行うための第１通信手段と、
送信元及び受信元の装置のそれぞれに係る通信設定情報に基づいて確立され、前記第１無線通信よりも通信速度が速い第２無線通信にてデータ通信を行うための第２通信手段と、
制御手段と
を備え、
前記制御手段は、
前記第１通信手段により前記第１無線通信を行うことが可能であり、
前記第２通信手段により前記第２無線通信を行うことが可能であり、
前記第１無線通信により、前記携帯端末に係る前記通信設定情報の受信、及び前記画像記録装置に係る前記通信設定情報の送信の少なくとも何れかを行い、
前記第１無線通信が確立される毎に当該第１無線通信により前記携帯端末の姿勢に関する信号を受信し、
受信した複数の前記信号から、前記携帯端末の姿勢の変化を示す変化情報を生成し、
生成した前記変化情報に基づいて、前記画像記録装置の画像記録に関する少なくとも一つの設定項目の設定値を設定し、
設定した前記設定項目の設定値に従って、前記第２無線通信により前記携帯端末から受信した前記画像データに係る画像を記録媒体に記録させるように前記記録手段を制御することを特徴とする画像記録装置。
【請求項８】
画像データに係る画像を記録媒体に記録する記録手段と、送信元及び受信元の装置間の距離が所定の通信可能距離内となる場合に確立される第１無線通信にてデータ通信を行うための第１通信手段と、送信元及び受信元の装置のそれぞれに係る通信設定情報に基づいて確立され、前記第１無線通信よりも通信速度が速い第２無線通信にてデータ通信を行うための第２通信手段とを備えた画像記録装置の制御手段により実行される制御プログラムであって、前記制御手段は当該制御プログラムを実行すると、
前記第１通信手段により前記第１無線通信を行うことが可能であり、
前記第２通信手段により前記第２無線通信を行うことが可能であり、
前記第１無線通信により、携帯端末に係る前記通信設定情報の受信、及び前記画像記録装置に係る前記通信設定情報の送信の少なくとも何れかを行い、
前記第１無線通信が確立される毎に当該第１無線通信により前記携帯端末の姿勢に関する信号を受信し、
受信した複数の前記信号から、前記携帯端末の姿勢の変化を示す変化情報を生成し、
生成した前記変化情報に基づいて、前記画像記録装置の画像記録に関する少なくとも一つの設定項目の設定値を設定し、
設定した前記設定項目の設定値に従って、前記第２無線通信により前記携帯端末から受信した前記画像データに係る画像を記録媒体に記録させるように前記記録手段を制御することを特徴とする制御プログラム。
【請求項９】
画像記録装置と通信可能な携帯端末であって、
画像データを記憶する記憶手段と、
送信元及び受信元の装置間の距離が所定の通信可能距離内となる場合に確立される第１無線通信にてデータ通信を行うための第１通信手段と、
送信元及び受信元の装置のそれぞれに係る通信設定情報に基づいて確立され、前記第１無線通信よりも通信速度が速い第２無線通信にてデータ通信を行うための第２通信手段と、
当該携帯端末の姿勢に関する信号を出力するセンサと、
制御手段と
を備え、
前記第１通信手段により前記第１無線通信を行うことが可能であり、
前記第２通信手段により前記第２無線通信を行うことが可能であり、
前記第１無線通信により、前記携帯端末に係る前記通信設定情報の送信及び前記画像記録装置に係る前記通信設定情報の受信の少なくとも何れかを行い、
前記第２無線通信により、前記記憶手段に記憶された画像データを前記画像記録装置に送信し、
前記センサから出力される前記信号を前記第１無線通信が確立される毎に取得し、
前記第１無線通信が確立される毎に取得した複数の前記信号から、前記携帯端末の姿勢の変化を示す変化情報を生成し、
生成した前記変化情報に基づいて、前記画像記録装置の画像記録に関する少なくとも一つの設定項目の設定値を設定し、
設定した前記設定項目の設定値を、前記第１無線通信又は前記第２無線通信により、前記画像記録装置に送信することを特徴とする携帯端末。
【請求項１０】
画像データを記憶する記憶手段と、送信元及び受信元の装置間の距離が所定の通信可能距離内となる場合に確立される第１無線通信にてデータ通信を行うための第１通信手段と、送信元及び受信元の装置のそれぞれに係る通信設定情報に基づいて確立され、前記第１無線通信よりも通信速度が速い第２無線通信にてデータ通信を行うための第２通信手段と、携帯端末の姿勢に関する信号を出力するセンサと、制御手段と、を備える前記携帯端末の制御手段により実行される制御プログラムであって、前記制御手段は当該制御プログラムを実行すると、
前記第１通信手段により前記第１無線通信を行うことが可能であり、
前記第２通信手段により前記第２無線通信を行うことが可能であり、
前記第１無線通信により、前記携帯端末に係る前記通信設定情報の送信及び画像記録装置に係る前記通信設定情報の受信の少なくとも何れかを行い、
前記第２無線通信により、前記記憶手段に記憶された画像データを前記画像記録装置に送信し、
前記センサから出力される前記信号を前記第１無線通信が確立される毎に取得し、
前記第１無線通信が確立される毎に取得した複数の前記信号から、前記携帯端末の姿勢の変化を示す変化情報を生成し、
生成した前記変化情報に基づいて、前記画像記録装置の画像記録に関する少なくとも一つの設定項目の設定値を設定し、
設定した前記設定項目の設定値を、前記第１無線通信又は前記第２無線通信により、前記画像記録装置に送信することを特徴とする制御プログラム。
【請求項１１】
携帯端末と、記録媒体に画像を記録する画像記録装置とを含み、前記携帯端末が、画像データを記憶する記憶手段と、前記携帯端末と前記画像記録装置との間の距離が所定の通信可能距離内となる場合に確立される第１無線通信にて、前記画像記録装置との間でデータ通信を行うための携帯端末側第１通信手段と、前記携帯端末及び前記画像記録装置のそれぞれに係る通信設定情報に基づいて確立され、前記第１無線通信よりも通信速度が速い第２無線通信にて、前記画像記録装置との間でデータ通信を行うための携帯端末側第２通信手段と、当該携帯端末の姿勢に関する信号を出力するセンサとを備え、前記画像記録装置が、前記画像データに係る画像を記録媒体に記録する記録手段と、前記第１無線通信を行うための画像記録装置側第１通信手段と、前記第２無線通信を行うための画像記録装置側第２通信手段とを備えた画像記録システムの制御方法であって、
前記携帯端末側第１通信手段及び画像記録装置側第１通信手段を制御して、前記第１無線通信により、前記携帯端末に係る前記通信設定情報を前記携帯端末から前記画像記録装置への送信、及び前記画像記録装置に係る前記通信設定情報を前記画像記録装置から前記携帯端末への送信の少なくとも何れかを行う通信設定情報送受信処理と、
前記携帯端末側第２通信手段及び画像記録装置側第２通信手段を制御して、前記第２無線通信により、前記記憶手段に記憶された前記画像データを前記携帯端末から前記画像記録装置への送信を行う画像データ送受信処理と、
前記センサから出力される前記信号を前記第１無線通信が確立される毎に取得する信号取得処理と、
前記信号取得処理により取得した複数の前記信号から、前記携帯端末の姿勢の変化を示す変化情報を生成し、生成した前記変化情報に基づいて、前記画像記録装置の画像記録に関する少なくとも一つの設定項目の設定値を設定する設定処理と、
前記設定処理により設定された前記設定項目の設定値に従って、前記画像データ送受信処理により前記携帯端末から前記画像記録装置へ送信された前記画像データに係る画像を記録媒体に記録させるように前記記録手段を制御する画像記録処理と
を備えていることを特徴とする画像記録システムの制御方法。
【発明の詳細な説明】
【技術分野】
【０００１】
本発明は、画像記録装置、携帯端末、これらを含む画像記録システム、画像記録システムの制御方法、及び制御プログラムに関する。
【背景技術】
【０００２】
携帯端末に記憶されている画像データを画像記録装置に送信し、当該画像記録装置において画像データに係る画像の記録を行う画像記録システムが知られている。例えば、下記特許文献１では、携帯端末（携帯端末装置）と画像記録装置（複合機）との間で、通信速度が異なる二つの無線通信方式でデータ通信を行うことが可能に構成された画像記録システムが開示されている。この画像記録システムでは、通信速度が遅い第１無線通信方式による通信が確立したときに、携帯端末から画像記録装置に対して、通信設定情報及び機能設定情報が送信される。そして、画像記録装置が、受信した通信設定情報を用いて通信速度が速い第２無線通信方式による通信を確立して、当該第２無線通信方式にて携帯端末から送信された画像データを受信する。その後、画像記録装置が、受信した画像データを第１無線通信方式にて受信していた機能設定情報に従って記録を行っている。
【先行技術文献】
【特許文献】
【０００３】
【特許文献１】特開２０１０−２４１１１４号公報
【発明の概要】
【発明が解決しようとする課題】
【０００４】
ところで、上記特許文献１に記載された画像記録システムでは、ユーザは機能設定情報の設定を、携帯端末の操作ボタンを用いて行う必要があるため、ユーザの操作性が悪いという問題がある。特に、小型の携帯端末の場合、操作ボタンも小型となるため、この問題が顕著となる。
【０００５】
そこで、本発明の目的は、ユーザの操作性を向上させることが可能な、画像記録装置、携帯端末、これらを含む画像記録システム、画像記録システムの制御方法、及び制御プログラムを提供することにある。
【課題を解決するための手段】
【０００６】
上記の課題を解決するために、本発明の画像記録システムは、携帯端末と、記録媒体に画像を記録する画像記録装置とを含む画像記録システムであって、前記携帯端末は、画像データを記憶する記憶手段と、前記携帯端末と前記画像記録装置との間の距離が所定の通信可能距離内となる場合に確立される第１無線通信にて、前記画像記録装置との間でデータ通信を行うための携帯端末側第１通信手段と、前記携帯端末及び前記画像記録装置のそれぞれに係る通信設定情報に基づいて確立され、前記第１無線通信よりも通信速度が速い第２無線通信にて、前記画像記録装置との間でデータ通信を行うための携帯端末側第２通信手段と、当該携帯端末の姿勢に関する信号を出力するセンサと、携帯端末側制御手段とを備え、前記携帯端末側制御手段が、前記携帯端末側第１通信手段により前記第１無線通信を行うことが可能であり、前記携帯端末側第２通信手段により前記第２無線通信を行うことが可能であり、前記第１無線通信により、前記携帯端末に係る前記通信設定情報の送信、及び前記画像記録装置に係る前記通信設定情報の受信の少なくとも何れかを行い、前記第２無線通信により、前記記憶手段に記憶された画像データを前記画像記録装置に送信するものであり、前記画像記録装置は、前記画像データに係る画像を記録媒体に記録する記録手段と、前記第１無線通信を行うための画像記録装置側第１通信手段と、前記第２無線通信を行うための画像記録装置側第２通信手段と、画像記録装置側制御手段とを備え、前記画像記録装置側制御手段が、前記画像記録装置側第１通信手段により前記第１無線通信を行うことが可能であり、前記画像記録装置側第２通信手段により前記第２無線通信を行うことが可能であり、前記第１無線通信により、前記携帯端末側制御手段の制御に従い送信された前記携帯端末に係る前記通信設定情報の受信、及び前記画像記録装置に係る前記通信設定情報の送信の少なくとも何れかを行うものであり、前記携帯端末側制御手段が、前記センサから出力される前記信号を前記第１無線通信が確立される毎に取得し、前記携帯端末側制御手段及び前記画像記録装置側制御手段の何れか一方が、前記携帯端末側制御手段が取得した複数の前記信号から、前記携帯端末の姿勢の変化を示す変化情報を生成し、生成した前記変化情報に基づいて、前記画像記録装置の画像記録に関する少なくとも一つの設定項目の設定値を設定し、前記画像記録装置側制御手段が、前記設定項目の設定値に従って、前記第２無線通信により受信した前記画像データに係る画像を記録媒体に記録させるように前記記録手段を制御することを特徴とする。
【０００７】
また、本発明の画像記録装置は、携帯端末と通信可能な画像記録装置であって、画像データに係る画像を記録媒体に記録する記録手段と、送信元及び受信間の距離が所定の通信可能距離内となる場合に確立される第１無線通信にてデータ通信を行うための第１通信手段と、送信元及び受信元の装置のそれぞれに係る通信設定情報に基づいて確立され、前記第１無線通信よりも通信速度が速い第２無線通信にてデータ通信を行うための第２通信手段と、制御手段とを備え、前記制御手段は、前記第１通信手段により前記第１無線通信を行うことが可能であり、前記第２通信手段により前記第２無線通信を行うことが可能であり、前記第１無線通信により、前記携帯端末に係る前記通信設定情報の受信、及び前記画像記録装置に係る前記通信設定情報の送信の少なくとも何れかを行い、前記第１無線通信が確立される毎に当該第１無線通信により前記携帯端末の姿勢に関する信号を受信し、受信した複数の前記信号から、前記携帯端末の姿勢の変化を示す変化情報を生成し、生成した前記変化情報に基づいて、前記画像記録装置の画像記録に関する少なくとも一つの設定項目の設定値を設定し、設定した前記設定項目の設定値に従って、前記第２無線通信により前記携帯端末から受信した前記画像データに係る画像を記録媒体に記録させるように前記記録手段を制御することを特徴とする。
【０００８】
また、本発明の携帯端末は、画像記録装置と通信可能な携帯端末であって、画像データを記憶する記憶手段と、送信元及び受信元の装置間の距離が所定の通信可能距離内となる場合に確立される第１無線通信にてデータ通信を行うための第１通信手段と、送信元及び受信元の装置のそれぞれに係る通信設定情報に基づいて確立され、前記第１無線通信よりも通信速度が速い第２無線通信にてデータ通信を行うための第２通信手段と、当該携帯端末の姿勢に関する信号を出力するセンサと、制御手段とを備え、前記第１通信手段により前記第１無線通信を行うことが可能であり、前記第２通信手段により前記第２無線通信を行うことが可能であり、前記第１無線通信により、前記携帯端末に係る前記通信設定情報の送信及び前記画像記録装置に係る前記通信設定情報の受信の少なくとも何れかを行い、前記第２無線通信により、前記記憶手段に記憶された画像データを前記画像記録装置に送信し、前記センサから出力される前記信号を前記第１無線通信が確立される毎に取得し、前記第１無線通信が確立される毎に取得した複数の前記信号から、前記携帯端末の姿勢の変化を示す変化情報を生成し、生成した前記変化情報に基づいて、前記画像記録装置の画像記録に関する少なくとも一つの設定項目の設定値を設定し、設定した前記設定項目の設定値を、前記第１無線通信又は前記第２無線通信により、前記画像記録装置に送信することを特徴とする。
【０００９】
また、本発明の制御プログラムは、画像データに係る画像を記録媒体に記録する記録手段と、送信元及び受信元の装置間の距離が所定の通信可能距離内となる場合に確立される第１無線通信にてデータ通信を行うための第１通信手段と、送信元及び受信元の装置のそれぞれに係る通信設定情報に基づいて確立され、前記第１無線通信よりも通信速度が速い第２無線通信にてデータ通信を行うための第２通信手段とを備えた画像記録装置の制御手段により実行される制御プログラムであって、前記制御手段は当該制御プログラムを実行すると、前記第１通信手段により前記第１無線通信を行うことが可能であり、前記第２通信手段により前記第２無線通信を行うことが可能であり、前記第１無線通信により、携帯端末に係る前記通信設定情報の受信、及び前記画像記録装置に係る前記通信設定情報の送信の少なくとも何れかを行い、前記第１無線通信が確立される毎に当該第１無線通信により前記携帯端末の姿勢に関する信号を受信し、受信した複数の前記信号から、前記携帯端末の姿勢の変化を示す変化情報を生成し、生成した前記変化情報に基づいて、前記画像記録装置の画像記録に関する少なくとも一つの設定項目の設定値を設定し、設定した前記設定項目の設定値に従って、前記第２無線通信により前記携帯端末から受信した前記画像データに係る画像を記録媒体に記録させるように前記記録手段を制御することを特徴とする。
【００１０】
また、本発明の制御プログラムは、画像データを記憶する記憶手段と、送信元及び受信元の装置間の距離が所定の通信可能距離内となる場合に確立される第１無線通信にてデータ通信を行うための第１通信手段と、送信元及び受信元の装置のそれぞれに係る通信設定情報に基づいて確立され、前記第１無線通信よりも通信速度が速い第２無線通信にてデータ通信を行うための第２通信手段と、携帯端末の姿勢に関する信号を出力するセンサと、制御手段と、を備える前記携帯端末の制御手段により実行される制御プログラムであって、前記制御手段は当該制御プログラムを実行すると、前記第１通信手段により前記第１無線通信を行うことが可能であり、前記第２通信手段により前記第２無線通信を行うことが可能であり、前記第１無線通信により、前記携帯端末に係る前記通信設定情報の送信及び画像記録装置に係る前記通信設定情報の受信の少なくとも何れかを行い、前記第２無線通信により、前記記憶手段に記憶された画像データを前記画像記録装置に送信し、前記センサから出力される前記信号を前記第１無線通信が確立される毎に取得し、前記第１無線通信が確立される毎に取得した複数の前記信号から、前記携帯端末の姿勢の変化を示す変化情報を生成し、生成した前記変化情報に基づいて、前記画像記録装置の画像記録に関する少なくとも一つの設定項目の設定値を設定し、設定した前記設定項目の設定値を、前記第１無線通信又は前記第２無線通信により、前記画像記録装置に送信することを特徴とする。
【００１１】
また、本発明の画像記録システムの制御方法は、携帯端末と、記録媒体に画像を記録する画像記録装置とを含み、前記携帯端末が、画像データを記憶する記憶手段と、前記携帯端末と前記画像記録装置との間の距離が所定の通信可能距離内となる場合に確立される第１無線通信にて、前記画像記録装置との間でデータ通信を行うための携帯端末側第１通信手段と、前記携帯端末及び前記画像記録装置のそれぞれに係る通信設定情報に基づいて確立され、前記第１無線通信よりも通信速度が速い第２無線通信にて、前記画像記録装置との間でデータ通信を行うための携帯端末側第２通信手段と、当該携帯端末の姿勢に関する信号を出力するセンサとを備え、前記画像記録装置が、前記画像データに係る画像を記録媒体に記録する記録手段と、前記第１無線通信を行うための画像記録装置側第１通信手段と、前記第２無線通信を行うための画像記録装置側第２通信手段とを備えた画像記録システムの制御方法であって、前記携帯端末側第１通信手段及び画像記録装置側第１通信手段を制御して、前記第１無線通信により、前記携帯端末に係る前記通信設定情報を前記携帯端末から前記画像記録装置への送信、及び前記画像記録装置に係る前記通信設定情報を前記画像記録装置から前記携帯端末への送信の少なくとも何れかを行う通信設定情報送受信処理と、前記携帯端末側第２通信手段及び画像記録装置側第２通信手段を制御して、前記第２無線通信により、前記記憶手段に記憶された前記画像データを前記携帯端末から前記画像記録装置への送信を行う画像データ送受信処理と、前記センサから出力される前記信号を前記第１無線通信が確立される毎に取得する信号取得処理と、前記信号取得処理により取得した複数の前記信号から、前記携帯端末の姿勢の変化を示す変化情報を生成し、生成した前記変化情報に基づいて、前記画像記録装置の画像記録に関する少なくとも一つの設定項目の設定値を設定する設定処理と、前記設定処理により設定された前記設定項目の設定値に従って、前記画像データ送受信処理により前記携帯端末から前記画像記録装置へ送信された前記画像データに係る画像を記録媒体に記録させるように前記記録手段を制御する画像記録処理とを備えていることを特徴とする。
【発明の効果】
【００１２】
本発明によると、ユーザは、第１無線通信が確立されるときの携帯端末の姿勢を変化させることで、画像記録装置の画像記録に関する設定項目の設定値を設定することができる。その結果、ユーザの操作性が向上する。
【図面の簡単な説明】
【００１３】
【図１】第１実施形態に係る画像記録システムの外観斜視図である。
【図２】図１に示す携帯端末の電気的構成図である。
【図３】（ａ）は図１に示す複合機（ＭＦＰ）の電気的構成図であり、（ｂ）は印刷面変更テーブルを示す図であり、（ｃ）は印刷方向変更テーブルを示す図であり、（ｄ）は設定値確定テーブルを示す図である。
【図４】図１に示す携帯端末の姿勢の変化を示す変化情報について説明する図である。
【図５】図１に示す複合機の操作パネルのディスプレイに表示される画像を示す図である。
【図６】図１に示す携帯端末の動作フロー図である。
【図７】図１に示す複合機の動作フロー図である。
【図８】携帯端末と複合機との間のデータ通信の手順を示すシーケンス図である。
【図９】第２実施形態に係る携帯端末と複合機との間のデータ通信の手順を示すシーケンス図である。
【図１０】第３実施形態に係る携帯端末と複合機との間のデータ通信の手順を示すシーケンス図である。
【発明を実施するための形態】
【００１４】
＜第１実施形態＞
［画像記録システムの全体構成］
以下、本発明の第１実施形態に係る画像記録システムについて、図面を参照しつつ説明する。本実施形態の画像記録システム９００は、図１に示すように、印刷機能及び画像読取機能（スキャナ）を有する複合機（ＭＦＰ：Ｍｕｌｔｉ  Ｆｕｎｃｔｉｏｎ  Ｐｅｒｉｐｈｅｒａｌ）２００（画像記録装置の一例）と、ＭＦＰに印刷させる画像データを出力する携帯端末１００と、を備えている。
【００１５】
ＭＦＰ２００は、印刷機能として、記録媒体である用紙の両面に画像を印刷する両面印刷を行うことが可能である。携帯端末１００は、携帯電話機やＰＤＡ（Ｐｅｒｓｏｎａｌ  Ｄｉｇｉｔａｌ  Ａｓｓｉｓｔａｎｔｓ）等の携帯端末であり、ＭＦＰ２００との間でＮＦＣ（Ｎｅａｒ  Ｆｉｅｌｄ  Ｃｏｍｍｕｎｉｃａｔｉｏｎ）方式による無線通信（第１無線通信）、及びＷｉ−Ｆｉ（Ｗｉｒｅｌｅｓｓ  Ｆｉｄｅｌｉｔｙ）ダイレクト方式による無線通信（第２無線通信）によってデータの送受信が可能となっている。
【００１６】
ＮＦＣ方式による無線通信（以下、ＮＦＣ通信と称す。）は、１０ｃｍ程度の極近距離を通信可能距離とする無線通信であり、携帯端末１００とＭＦＰ２００とを近接（又は接触）させることで通信が確立される。また、ＮＦＣ通信は、Ｗｉ−Ｆｉダイレクト方式による無線通信（以下、ＷＦＤ通信と称す。）と比べて、通信速度が遅いため、比較的小容量のデータの通信に用いられる。なお、ＮＦＣ通信の場合、その通信可能距離の物理的制限から通信相手の特定が容易であり、その分、通信の確立が、ＷＦＤ通信の場合よりも容易である。つまり、ユーザは、携帯端末１００を通信相手となるＭＦＰ２００に近接させる必要があるが、その行為自体が通信相手を指定することになる。
【００１７】
一方、ＷＦＤ通信は、通信可能距離が数メートル〜数十メートル程度のローカルな無線通信である。ここで、ＷＦＤ通信は、ネットワークを構築し、そのネットワーク内でデータの受け渡しを可能にする通信方式である。そのため、送信元及び受信元の装置間でデータ通信を行うには、ＷＦＤネットワークを構築する必要がある。
そこで、本実施形態の画像記録システム９００では、携帯端末１００とＭＦＰ２００との間でＮＦＣ通信が確立されたときに、ＷＦＤ通信を確立させるためのＷＦＤ接続情報（通信設定情報の一例）を、携帯端末１００とＭＦＰ２００との間で送受信する。そして、このＷＦＤ接続情報に基づいて、携帯端末１００とＭＦＰ２００との間のＷＦＤ通信を確立するように構成されている（いわゆる、ハンドオーバーが行われるように構成されている）。
【００１８】
［携帯端末の構成］
続いて、携帯端末１００の概略構成について説明する。携帯端末１００は、図１に示すように、略直方体形状に形成された筐体１０１を有する。筐体１０１の六面のうちの一面は、長方形の形状を有しており、操作キー１１とタッチパネル１２とが長辺方向に沿って配設されている。
以下では、この操作キー１１とタッチパネル１２とが配設された面を、基準面１０２とする。そして、筐体１０１の六面のうち、基準面１０２と平行な面（基準面１０２の裏側の面）を裏面１０３（図４（ａ）参照）とする。また、携帯端末１００の端末基準座標系を、互いに直交するＸ軸、Ｙ軸、及びＺ軸で定義する。Ｘ軸は、基準面１０２の短辺方向に沿った軸であり、所定の方向に向かう方向を正の方向とした軸である。Ｙ軸は、基準面１０２の長辺方向に沿った軸であり、操作キー１１からタッチパネル１２に向かう方向を正の方向とした軸である。Ｚ軸は、基準面１０２と直交する軸であり、裏面１０３から基準面１０２に向かう方向を正の方向とした軸である。
【００１９】
また、携帯端末１００は、図２に示すように、外部装置との通信を可能にする通信インターフェースとしてＮＦＣインターフェース１５（携帯端末側第１通信手段）及び無線ＬＡＮインターフェース１６（携帯端末側第２通信手段）と、メモリーカード１７ａ（記憶手段の一例）を着脱自在なメモリーカードインターフェース１７と、携帯端末の姿勢に関する信号（以下、姿勢信号と称す。）を出力するセンサ２０と、携帯端末全体を制御する制御部３０とを有している。メモリーカード１７ａには、ユーザが所有する画像データ（例えば、写真や文書ファイルなど）が記憶されている。
【００２０】
ＮＦＣインターフェース１５は、ＩＳＯ／ＩＥＣ２１４８１又はＩＳＯ／ＩＥＣ１８０９２の国際標準規格に基づいて、ＮＦＣ通信を可能にするインターフェースである。携帯端末１００は、ＮＦＣインターフェース１５を介して外部装置との間でＮＦＣ通信によるデータ送受信を行う。無線ＬＡＮインターフェース１６は、ＩＥＥＥの８０２．１１の規格及びそれに準ずる規格に基づいて、ＷＦＤ通信を可能にするインターフェースである。携帯端末１００は、無線ＬＡＮインターフェース１６を介して外部装置との間でＷＦＤ通信によるデータ送受信を行う。
【００２１】
センサ２０は、重力方向センサ２１及び方位センサ２２から構成されており、携帯端末１００の姿勢に関する姿勢信号を出力する。ここで、姿勢信号には、筐体１０１の六面のうち、鉛直下方向に向いている面（以下、単に下面と称す。）に関する下面信号と、携帯端末１００が向いている方位に関する方位信号とが含まれる。
【００２２】
重力方向センサ２１は、下面信号を出力するセンサである。本実施形態では、重力方向センサ２１は、３軸加速度センサから構成されており、その３軸は、携帯端末１００の端末基準座標系のＸ軸、Ｙ軸、及びＺ軸とそれぞれ一致している。重力方向センサ２１は、３軸加速度センサの３軸それぞれの加速度に基づいて、携帯端末１００の重力方向を検知することで、筐体１０１の六面のうち、どの面が鉛直下方向に向いているかを検出する。そして、重力方向センサ２１は、その検出結果に基づいて下面信号を出力する。
【００２３】
方位センサ２２は、方位信号を出力するセンサである。本実施形態では、方位センサ２２は、ＧＰＳ衛星から受信した電波に基づいて真北を検出する。そして、真北に対する、携帯端末１００のＹ軸の正方向を水平面に射影したベクトルがなす角度に基づいて、携帯端末１００の方位を検出する。方位センサ２２は、その検出結果に基づいて方位信号を出力する。なお、方位センサ２２は、磁北を用いて携帯端末１００の方位を検出してもよい。
【００２４】
次に、携帯端末１００の制御部３０について説明する。制御部３０は、図２に示すように、ＣＰＵ３１と、ＲＯＭ３２と、ＲＡＭ３３と、フラッシュメモリ３４とを有する。ＲＯＭ３２には、携帯端末１００を制御するための制御プログラムであるファームウェアや各種設定が記憶されている。ＲＡＭ３３及びフラッシュメモリ３４は、各種制御プログラムが読み出される作業領域として、或いはデータを一時的に記憶する記憶領域として利用される。
【００２５】
フラッシュメモリ３４には、ＭＦＰ２００との間でＷＦＤ通信を確立させるためのＷＦＤ接続情報が記憶されている。このＷＦＤ接続情報には、ＷＦＤネットワークを識別するための識別子であるＳＳＩＤ（Ｓｅｒｖｉｃｅ  Ｓｅｔ  ＩＤｅｎｔｉｆｉｅｒ）やパスワード、携帯端末１００のＩＰアドレスなどの固有情報が含まれる。
また、フラッシュメモリ３４には、ＯＳや、各種のデバイスを制御するデバイスドライバ等が組み込まれている。更に、フラッシュメモリ３４には、携帯端末１００を機能させる各種アプリケーション（以下、アプリ）が記憶されている。この記憶されているアプリには、ＮＦＣインターフェース１５を用いてＮＦＣ通信を行うためのＮＦＣ通信プログラム３４ａ、無線ＬＡＮインターフェース１６を用いてＷＦＤ通信を行うための無線ＬＡＮ通信プログラム３４ｂ、画像データ送信プログラム３４ｃ、及び、姿勢信号取得プログラム３４ｄが含まれる。
【００２６】
画像データ送信プログラム３４ｃは、ユーザによって選択された印刷対象の画像データを、無線ＬＡＮ通信プログラム３４ｂを介して、ＷＦＤ通信にてＭＦＰ２００に送信するためのプログラムである。
姿勢信号取得プログラム３４ｄは、携帯端末１００とＭＦＰ２００との間でＮＦＣ通信が確立される毎に、当該ＮＦＣ通信が確立されたときにセンサ２０から出力されている姿勢信号を取得し、取得した姿勢信号をＮＦＣ通信にてＭＦＰ２００に送信するためのプログラムである。
【００２７】
ＣＰＵ３１は、ＲＯＭ３２から読み出した制御プログラムやフラッシュメモリ３４から読み出したプログラムに従って、その演算結果をＲＡＭ３３又はフラッシュメモリ３４に記憶させながら各種の処理を行う。上述したアプリの動作も、ＣＰＵ３１によって処理される。
【００２８】
［ＭＦＰの構成］
続いて、ＭＦＰ２００の概略構成について説明する、ＭＦＰ２００は、図１に示すように、略直方体形状に形成された筐体２０１を有する。また、ＭＦＰ２００は、図３（ａ）に示すように、用紙に画像を印刷する印刷機構５１（記録手段の一例）と、ＮＦＣインターフェース５２（画像記録装置側第１通信手段の一例）と、無線ＬＡＮインターフェース５３（画像記録装置側第２通信手段の一例）と、動作状況の表示やユーザによる入力操作の受付を行う操作パネル５４と、ＭＦＰ全体を制御する制御部６０とを有する。
【００２９】
ＮＦＣインターフェース５２は、携帯端末１００のＮＦＣインターフェース１５と同様に、ＮＦＣ通信を可能にするインターフェースである。また、無線ＬＡＮインターフェース５３は、携帯端末１００の無線ＬＡＮインターフェース１６と同様に、ＷＦＤ通信を可能にするインターフェースである。
【００３０】
操作パネル５４は、図１に示すように、筐体２０１の上面に設けられており、ユーザ入力を受け付ける入力部５７、メッセージや設定内容を表示するディスプレイ５８、及びＮＦＣ通信を受け付けるＮＦＣ読取面５９を有している。このＮＦＣ読取面５９は、ＮＦＣインターフェース５２の構成要素であり、水平面と平行な面である。ＭＦＰ２００は、電源ＯＮの間、ＮＦＣインターフェース５２から発せられる信号によって、ＮＦＣ通信が実行可能なデバイスを検出する状態になっている。本実施形態においては、ユーザが携帯端末１００の基準面１０２を、ＮＦＣインターフェース５２のＮＦＣ読取面５９に平行した状態でＮＦＣ読取面５９に近接させると、ＭＦＰ２００が携帯端末１００を検出し、携帯端末１００とＭＦＰ２００との間でＮＦＣ通信が確立される。
【００３１】
次に、ＭＦＰ２００の制御部６０について詳細に説明する。制御部６０は、図３（ａ）に示すように、ＣＰＵ６１と、ＲＯＭ６２と、ＲＡＭ６３と、フラッシュメモリ６４（規定設定記憶手段の一例）とを有する。ＲＯＭ６２には、ＭＦＰ２００を制御するための制御プログラムであるファームウェアや各種設定が記憶されている。ＲＡＭ６３及びフラッシュメモリ６４は、各種制御プログラムが読み出される作業領域として、あるいはデータを一時的に記憶する記憶領域として利用される。
また、ＲＡＭ６３には、携帯端末１００から受信した姿勢信号が累積記憶される姿勢信号記憶領域６３ａ、印刷機構５１により実行される印刷に係る複数の設定項目（以下、印刷設定項目）の設定値が記憶される設定値記憶領域６３ｂ、携帯端末１００から送信された画像データを記憶する画像データ記憶領域６３ｃが設けられている。
本実施形態では、印刷設定項目として、印刷面設定項目、及び印刷方向設定項目の２つの設定項目がある。印刷面設定項目は、両面印刷と片面印刷の何れかを設定するための印刷設定項目であり、設定値として「両面印刷」及び「片面印刷」がある。また、印刷方向設定項目は、用紙に対する画像の印刷方向を設定するための設定項目であり、設定値として「縦向印刷」及び「横向印刷」がある。
【００３２】
フラッシュメモリ６４には、携帯端末１００との間でＷＦＤ通信を確立させるためのＷＦＤ接続情報が記憶されている。このＷＦＤ接続情報には、ＳＳＩＤやパスワード、ＭＦＰ２００の固有情報（ＩＰアドレスなど）などが含まれる。
また、フラッシュメモリ６４には、ＭＦＰ２００を機能させる各種アプリが記憶されている。この記憶されているアプリには、ＮＦＣインターフェース５２を用いてＮＦＣ通信を行うためのＮＦＣ通信プログラム６４ａ、無線ＬＡＮインターフェース５３を用いてＷＦＤ通信を行うための無線ＬＡＮ通信プログラム６４ｂ、変化情報生成プログラム６４ｃ、設定値設定プログラム６４ｄ、及び、設定値確定プログラム６４ｅが含まれる。
【００３３】
変化情報生成プログラム６４ｃは、携帯端末１００との間でＮＦＣ通信が確立される毎に、携帯端末１００から送信される姿勢信号を受信し、受信した姿勢信号をＲＡＭ６３の姿勢信号記憶領域６３ａに累積記憶するためのプログラムである。また、変化情報生成プログラム６４ｃは、ＲＡＭ６３の姿勢信号記憶領域６３ａに記憶された複数の姿勢信号から、携帯端末１００の姿勢の変化を示す変化情報を生成するためのプログラムでもある。本実施形態においては、ＮＦＣ通信がｎ＋１回目（ｎは、１以上の整数）に確立されたときに携帯端末１００から受信した姿勢信号と、ＮＦＣ通信がｎ回目に確立されたときに携帯端末１００から受信した姿勢信号との差分を算出し、算出した差分を変化情報とする。この変化情報には、姿勢信号に含まれる下面信号に基づいて生成される下面変化情報と、姿勢信号に含まれる方位信号に基づいて生成される方位変化情報とが含まれる。
【００３４】
ここで、上述したように、本実施形態では、ユーザが携帯端末１００の基準面１０２を、水平面と平行な面であるＮＦＣ読取面５９に平行した状態で、ＮＦＣ読取面５９に近接させたときに、携帯端末１００とＭＦＰ２００との間でＮＦＣ通信が確立される。従って、携帯端末１００から受信した姿勢信号に含まれる下面信号は、基準面１０２と裏面１０３との鉛直方向に関する位置関係を示す信号となる。このため、下面信号に基づいて生成される下面変化情報は、基準面１０２と裏面１０３との鉛直方向に関する位置関係か変化（逆転）する「上下逆転」（図４（ａ）参照）、及び、基準面１０２と裏面１０３との鉛直方向に関する位置関係か変化しない「変化なし」（図４（ｂ），（ｃ）参照）の何れか一方となる。
また、姿勢信号の方位信号に基づいて生成される方位変化情報は、携帯端末１００との間のＮＦＣ通信がｎ回目に確立されたときのＹ軸（正方向）と、携帯端末１００との間のＮＦＣ通信がｎ＋１回目に確立されたときのＹ軸（正方向）とがなす変更角度θ（図４参照）となる。
【００３５】
設定値設定プログラム６４ｄは、変化情報生成プログラム６４ｃにより生成された変化情報に基づいて、印刷設定項目における設定値の設定（変更）を行うためのプログラムである。具体的には、設定値設定プログラム６４ｄは、印刷面設定項目、及び印刷方向設定項目の規定の設定値を含む。本実施形態においては、印刷面設定項目の規定の設定値は「片面印刷」であり、印刷面設定項目の規定の設定値は「縦向印刷」である。設定値設定プログラム６４ｄを実行したＣＰＵ６１は、１回目のＮＦＣ通信が確立されたときに、この規定の設定値を設定値記憶領域６３ｂに記憶する。ここで、１回目のＮＦＣ通信が確立されたときとは、ユーザが印刷対象の画像データを選択した後で、携帯端末１００とＭＦＰ２００との間で最初にＮＦＣ通信が確立されたときである。
【００３６】
また、設定値設定プログラム６４ｄは、印刷面変更テーブルを含む。印刷面変更テーブルは、図３（ｂ）に示すように、携帯端末１００の下面変化情報と、印刷面設定項目における設定値の変更の有無との関係を示すテーブルである。印刷面変更テーブルは、下面変化情報が「変化なし」の場合には印刷面設定項目における設定値の変更を行わず、下面変化情報が「上下逆転」の場合には印刷面設定項目における設定値の変更を行うことを示している。従って、設定値設定プログラム６４ｄを実行したＣＰＵ６１は、変化情報生成プログラム６４ｃにより生成された変化情報の下面変化情報が「上下逆転」の場合（図４（ａ）参照）のみ、設定値記憶領域６３ｂに記憶された印刷面設定項目における設定値を変更する。例えば、設定値記憶領域６３ｂに記憶された印刷面設定項目の設定値が「両面印刷」の場合には「片面印刷」に変更し、「片面印刷」の場合には「両面印刷」に変更する。
【００３７】
更に、設定値設定プログラム６４ｄは、印刷方向変更テーブルを含む。印刷方向変更テーブルは、図３（ｃ）に示すように、携帯端末１００の方位変化情報と、印刷方向設定項目における設定値の変更の有無との関係を示すテーブルである。印刷方向変更テーブルは、方位変化情報が示す変更角度θが、「０°≦θ≦４５°」、及び「１３５°≦θ≦１８０°」の何れかの条件を満たす場合に、印刷方向設定項目における設定値の変更は行わないことを示している。また、方位変化情報が示す変更角度θが、「４５°＜θ＜１３５°」の条件を満たす場合に、印刷方向設定項目における設定値の変更を行うことを示している。従って、設定値設定プログラム６４ｄを実行したＣＰＵ６１は、変化情報生成プログラム６４ｃにより生成された変化情報の方位変化情報が示す変更角度θが「４５°＜θ＜１３５°」の条件を満たす場合（図４（ｂ）参照）のみ、設定値記憶領域６３ｂに記憶された印刷方向設定項目における設定値を変更する。例えば、設定値記憶領域６３ｂに記憶された印刷方向設定項目の設定値が「縦向印刷」の場合には「横向印刷」に変更し、「横向印刷」の場合には「縦向印刷」に変更する。
【００３８】
また、本実施形態では、変化情報生成プログラム６４ｃを実行するＣＰＵ６１により生成された変化情報において、下面変化情報が「上下逆転」であり、且つ、方位変化情報が示す変更角度θが「４５°＜θ＜１３５°」である場合には、印刷面設定項目及び印刷方向設定項目それぞれの設定値が同時に変更される。変形例として、印刷設定項目に優先度を付けておき、上記の場合には、優先度の高い印刷設定項目の設定値のみが変更されるようにしてもよい。
【００３９】
また、設定値設定プログラム６４ｄを実行したＣＰＵ６１は、図５に示すように、設定値記憶領域６３ｂに記憶された印刷設定項目の設定値を示す、イメージ画像７１及び文字画像７２を操作パネル５４のディスプレイ５８に表示する。イメージ画像７１は、用紙（図中、実線で図示）と、用紙上において印刷対象の画像データに係る画像が印刷される印刷範囲（図中、破線で図示）との関係、及び、用紙の縦横の向きと、用紙上において印刷される画像の向きとの関係を表した画像である。また、文字画像７２は、設定値記憶領域６３ｂに記憶された印刷設定項目の設定値を文字情報として表した画像である。設定値設定プログラム６４ｄを実行したＣＰＵ６１は、設定値記憶領域６３ｂに記憶された印刷設定項目の設定値が変更される毎に、ディスプレイ５８に表示されるイメージ画像７１及び文字画像７２を更新する。
【００４０】
設定値確定プログラム６４ｅは、設定値記憶領域６３ｂに記憶された印刷設定項目の設定値の確定を行うためのプログラムである。具体的には、設定値確定プログラム６４ｅを実行したＣＰＵ６１は携帯端末１００とＭＦＰ２００との間でＮＦＣ通信が確立された後、当該ＮＦＣ通信が切断されたときから、所定時間（例えば、３０秒）が経過するまでに、ＮＦＣ通信が再度確立されなかった場合に、設定値記憶領域６３ｂに記憶された印刷設定項目の設定値を確定する。
【００４１】
また、設定値確定プログラム６４ｅは、設定値確定テーブルを含む。設定値確定テーブルは、図３（ｄ）に示すように、設定値記憶領域６３ｂに記憶された印刷設定項目の設定値を確定する条件となる、携帯端末１００の変化情報（以下、確定変化情報と称す）を示すテーブルである。本実施形態では、確定変化情報は、携帯端末１００の姿勢が、ＮＦＣ通信がｎ＋１回目に確立されたときと、ＮＦＣ通信がｎ回目に確立されたときとの間で、所定の閾値以上の変化をしていないことを示す変化情報とされている。
具体的には、設定値確定プログラム６４ｅを実行したＣＰＵ６１は、図３（ｄ）に示すように、設定値確定テーブルは、携帯端末１００の変化情報に含まれる下面変化情報が「変化なし」であり、且つ、方位変化情報が示す変更角度θが、「０°≦θ≦４５°」である場合に、設定値記憶領域６３ｂに記憶された印刷設定項目における設定値を確定することを示している。従って、設定値設定プログラム６４ｄを実行したＣＰＵ６１は、変化情報生成プログラム６４ｃにより変化情報が生成されたときに、当該変化情報が確定変化情報の場合（図４（ｃ）参照）に、設定値記憶領域６３ｂに記憶された印刷設定項目の設定値を確定する。これにより、ＮＦＣ通信が確立されるときの携帯端末１００の姿勢により、ユーザは、意図した設定値を容易、且つ確実に確定することができる。
【００４２】
設定値確定プログラム６４ｅを実行したＣＰＵ６１は、設定値記憶領域６３ｂに記憶された印刷設定項目における設定値を確定すると、当該印刷設定項目における設定値に従って用紙に画像が印刷されるように印刷機構５１を制御する。
【００４３】
ＣＰＵ６１は、ＲＯＭ６２から読み出した制御プログラムやフラッシュメモリ６４から読み出したプログラムに従って、その演算結果をＲＡＭ６３又はフラッシュメモリ６４に記憶させながら各種の処理を行う。上述したフラッシュメモリ６４に記憶されたアプリの動作も、ＣＰＵ６１によって処理される。
【００４４】
［画像データ送信プログラム、及び姿勢信号取得プログラムの概要］
続いて、携帯端末１００にインストールされた画像データ送信プログラム３４ｃ及び姿勢信号取得プログラム３４ｄに従って携帯端末１００のＣＰＵ３１が実行する処理について、図６を参照しつつ説明する。
【００４５】
まず、ＣＰＵ３１は、初期画面としてメモリーカード１７ａに記憶された画像データ一覧を、ファイル名又はサムネイル画像でタッチパネル１２に表示させ（Ａ１）、画像データ一覧から印刷対象の画像データをユーザが選択すると、タッチパネル１２から対応する電気信号を受信する（Ａ２：ＹＥＳ）。印刷対象の画像データが選択された後、ユーザがその携帯端末１００をＭＦＰ２００のＮＦＣ読取面５９に近接させることにより、ＭＦＰ２００が携帯端末１００を検出し、携帯端末１００とＭＦＰ２００との間で、ＮＦＣ通信が確立する。ＣＰＵ３１は、ＮＦＣ通信が確立したか否かを判断し（Ａ３）、ＮＦＣ通信が確立していなければ（Ａ３：ＮＯ）、ユーザに携帯端末１００をＭＦＰ２００のＮＦＣ読取面５９に近接させることを促す画像をタッチパネル１２に表示させて、ＮＦＣ通信の確立を待つ。
【００４６】
ＣＰＵ３１は、ＮＦＣ通信が確立されれば（Ａ３：ＹＥＳ）、当該ＮＦＣ通信にてハンドオーバー要求をＭＦＰ２００に送信する（Ａ４）。このハンドオーバー要求には、ＷＦＤ通信へのハンドオーバーの要求を示すコマンドの他、フラッシュメモリ３４に記憶されたＷＦＤ接続情報が付加される。そして、ＣＰＵ３１はハンドオーバー要求に対する応答として、ＭＦＰ２００からハンドオーバー要求応答をＮＦＣ通信にて受信する（Ａ５）。このハンドオーバー要求応答には、ＭＦＰ２００のフラッシュメモリ６４に記憶されたＷＦＤ接続情報が付加されている。そのため、このＷＦＤ接続情報を利用することで、携帯端末１００とＭＦＰ２００との間でＷＦＤ通信を確立することが可能となる。
【００４７】
次に、ＣＰＵ３１は、センサ２０から出力されている姿勢信号を取得し、当該取得した姿勢信号をＮＦＣ通信にてＭＦＰ２００に送信する（Ａ６）。この後、ユーザがその携帯端末１００をＭＦＰ２００のＮＦＣ読取面５９から離隔させて、これら装置間の距離がＮＦＣ通信の通信可能距離外となることにより、携帯端末１００とＭＦＰ２００との間のＮＦＣ通信が切断される。ＣＰＵ３１は、ＮＦＣ通信が切断されたか否かを判断し（Ａ７）、ＮＦＣ通信が切断されていなければ（Ａ７：ＮＯ）、ユーザに携帯端末１００をＭＦＰ２００のＮＦＣ読取面５９から離隔させることを促す画像をタッチパネル１２に表示させて、ＮＦＣ通信の切断を待つ。
【００４８】
ＣＰＵ３１は、ＮＦＣ通信が切断されれば（Ａ７：ＹＥＳ）、ステップＡ５の処理で受信したハンドオーバー要求応答に含まれるＷＦＤ接続情報を利用してＭＦＰ２００との間でのＷＦＤ通信を確立する（Ａ８）。すなわち、ＮＦＣ通信からＷＦＤ通信へのハンドオーバーが実現される。ＣＰＵ３１は、ＭＦＰ２００とのＷＦＤ通信を確立させた後は、当該ＷＦＤ通信にて、ユーザにより選択された印刷対象の画像データをＭＦＰ２００に送信する（Ａ９）。この後、ＣＰＵ３１は、ＭＦＰ２００から送信された、画像データ受信通知を受信する（Ａ１０）。この画像データ受信通知は、ＭＦＰ２００が携帯端末１００から送信された画像データを受信した際に、ＭＦＰ２００から携帯端末１００に対して、ＷＦＤ通信にて送信される通知である。
【００４９】
次に、ＣＰＵ３１は、携帯端末１００とＭＦＰ２００との間でＮＦＣ通信が再度確立したか否かを判断する（Ａ１１）。そして、ＮＦＣ通信が再度確立したと判断した場合（Ａ１１：ＹＥＳ）には、ＣＰＵ３１は、センサ２０から出力されている姿勢信号を取得し、当該取得した姿勢信号をＮＦＣ通信にてＭＦＰ２００に送信する（Ａ１２）。この後、ＣＰＵ３１は、ＮＦＣ通信が切断されたか否かを判断し（Ａ１３）、ＮＦＣ通信が切断されていなければ（Ａ１３：ＮＯ）、ＮＦＣ通信の切断を待つ。一方、ＣＰＵ３１は、ＮＦＣ通信が切断されれば（Ａ１３：ＹＥＳ）、ステップＡ１１の処理に戻る。
【００５０】
ステップＡ１１において、ＣＰＵ３１が、携帯端末１００とＭＦＰ２００との間でＮＦＣ通信が再度確立されていないと判断した場合（Ａ１１：ＮＯ）には、ＣＰＵ３１は、ＭＦＰ２００から印刷完了通知を受信したか否かを判断する（Ａ１４）。印刷完了通知は、ＭＦＰ２００において携帯端末１００から受信した画像データの印刷が完了した際に、ＭＦＰ２００から携帯端末１００に対してＷＦＤ通信にて送信される通知である。ＣＰＵ３１は、印刷完了通知を受信していないと判断した場合（Ａ１４：ＮＯ）には、ステップＡ１１の処理に戻る。一方、印刷完了通知を受信したと判断した場合（Ａ１４：ＹＥＳ）には、ＣＰＵ３１は、携帯端末１００とＭＦＰ２００との間のＷＦＤ通信を切断する（Ａ１５）。以上で、図６の動作フローを終了する。
【００５１】
［変化情報生成プログラム、設定値設定プログラム、及び、設定値確定プログラムの概要］
続いて、ＭＦＰ２００にインストールされた変化情報生成プログラム６４ｃ、設定値設定プログラム６４ｄ、及び、設定値確定プログラム６４ｅに従ってＭＦＰ２００のＣＰＵ６１が実行する処理について、図７を参照しつつ説明する。なお、以下において、ＭＦＰ２００のＮＦＣ読取面５９に近接される携帯端末１００は、ユーザにより印刷対象の画像データが選択されているものとする。
【００５２】
まず、ＣＰＵ６１は、携帯端末１００とＭＦＰ２００との間でＮＦＣ通信が確立されると（Ｂ１）、当該ＮＦＣ通信にて、携帯端末１００から送信されたハンドオーバー要求を受信する（Ｂ２）。そして、ＣＰＵ６１は、フラッシュメモリ６４に記憶されたＷＦＤ接続情報を含むハンドオーバー要求応答を、ＮＦＣ通信にて、携帯端末１００に送信する（Ｂ３）。
次に、ＣＰＵ６１は、携帯端末１００から送信された姿勢信号をＮＦＣ通信にて受信し、受信した姿勢信号をＲＡＭ６３の姿勢信号記憶領域６３ａに記憶する（Ｂ４）。次に、ＣＰＵ６１は、フラッシュメモリ６４に記憶されている印刷設定項目の規定の設定値を、ＲＡＭ６３の設定値記憶領域６３ｂに記憶し、且つ、印刷設定項目の規定の設定値を示すイメージ画像７１及び文字画像７２を操作パネル５４のディスプレイ５８に表示する（Ｂ５）。
【００５３】
次に、ＣＰＵ６１は、携帯端末１００とＭＦＰ２００とのＮＦＣ通信が切断されたか否かを判断し（Ｂ６）、ＮＦＣ通信が切断されていなければ（Ｂ６：ＮＯ）、ＮＦＣ通信の切断を待つ。ＣＰＵ６１は、ＮＦＣ通信が切断されれば（Ｂ６：ＹＥＳ）、携帯端末１００との間でＷＦＤ通信を確立させる（Ｂ７）。この後、ＣＰＵ６１は、ＷＦＤ通信によって、携帯端末１００から送信された画像データを受信し、受信した画像データをＲＡＭ６３の画像データ記憶領域６３ｃに記憶する（Ｂ８）。そして、ＣＰＵ６１は、画像データ受信通知をＷＦＤ通信にて携帯端末１００に送信する（Ｂ９）。
【００５４】
次に、ＣＰＵ６１は、携帯端末１００とＭＦＰ２００との間でＮＦＣ通信が再度確立したか否かを判断する（Ｂ１０）。ＮＦＣ通信が再度確立された場合（Ｂ１０：ＹＥＳ）には、ＣＰＵ６１は、携帯端末１００から送信された姿勢信号をＮＦＣ通信にて受信し、受信した姿勢信号をＲＡＭ６３の姿勢信号記憶領域６３ａに累積記憶する（Ｂ１１）。そして、ＣＰＵ６１は、姿勢信号記憶領域６３ａを参照して、今回のＮＦＣ通信の確立時に受信した姿勢信号と、前回のＮＦＣ通信の確立時に受信した姿勢信号とから、変化情報を生成する（Ｂ１２）。
【００５５】
次に、ＣＰＵ６１は、フラッシュメモリ６４に記憶された、印刷面変更テーブル及び印刷方向変更テーブルを参照して、生成された変化情報が、設定値記憶領域６３ｂに記憶された印刷設定項目の設定値の変更を要する変化情報であるか否かを判断する（Ｂ１３）。設定値の変更を要する変化情報である場合（Ｂ１３：ＹＥＳ）、ＣＰＵ６１は、当該変化情報に基づいて、設定値記憶領域６３ｂに記憶された印刷設定項目の設定値を変更し（Ｂ１４）、操作パネル５４のディスプレイ５８に表示されるイメージ画像７１及び文字画像７２を更新する（Ｂ１５）。このステップＢ１５の処理が終了すると、ステップＢ１８の処理に移る。
【００５６】
一方、ステップＢ１３において、生成された変化情報が、設定値の変更を要しない変化情報である場合（Ｂ１３：ＮＯ）、ＣＰＵ６１は、フラッシュメモリ６４に記憶された設定値確定テーブルを参照して、生成された変化情報が確定変化情報であるか否かを判断する（Ｂ１６）。生成された変化情報が確定変化情報ではないと判断した場合（Ｂ１６：ＮＯ）には、ＣＰＵ６１は、変化情報が、設定値の変更を要する変化情報、及び確定変化情報のいずれでもないことをユーザに報知するエラー画像をディスプレイ５８に表示して（Ｂ１７）、ステップＢ１８の処理に移る。一方、生成された変化情報が確定変化情報であると判断した場合（Ｂ１６：ＹＥＳ）には、ステップＢ２０の処理に移る。
【００５７】
ステップＢ１８では、ＣＰＵ６１は、携帯端末１００とＭＦＰ２００との間のＮＦＣ通信が切断されたか否かを判断する。そして、ＮＦＣ通信が切断されていなければ（Ｂ１８：ＮＯ）、ＮＦＣ通信の切断を待つ。一方、ＮＦＣ通信が切断された場合（Ｂ１８：ＹＥＳ）には、ステップＢ１０の処理に戻る。
【００５８】
ステップＢ１０において、携帯端末１００とＭＦＰ２００との間のＮＦＣ通信が再度確立されていない場合（Ｂ１０：ＮＯ）には、ＣＰＵ６１は、直近のＮＦＣ通信が切断されたときから所定時間が経過しているか否かを判断する（Ｂ１９）。所定時間が経過していないと判断した場合（Ｂ１９：ＮＯ）には、ステップＢ１０の処理に移る。一方、所定時間が経過したと判断した場合（Ｂ１９：ＹＥＳ）には、ステップＢ２０の処理に移る。
【００５９】
ステップＢ２０では、ＣＰＵ６１は、ＲＡＭ６３の設定値記憶領域６３ｂに記憶された印刷設定項目の設定値を確定する。次に、ＣＰＵ６１は、設定値記憶領域６３ｂに記憶された印刷設定項目の設定値に従って、画像データ記憶領域６３ｃに記憶されている画像データに係る画像を用紙に印刷させるように印刷機構５１を制御する（Ｂ２１）。印刷が完了した後は、ＣＰＵ６１は、印刷完了通知をＷＦＤ通信にて携帯端末１００に送信し（Ｂ２２）、その後、携帯端末１００とＭＦＰ２００との間のＷＦＤ通信を切断する（Ｂ２３）。次に、ＣＰＵ６１は、ＲＡＭ６３の姿勢信号記憶領域６３ａに記憶された姿勢信号、設定値記憶領域６３ｂに記憶された設定値、及び画像データ記憶領域６３ｃに記憶された画像データを消去する（Ｂ２４）。以上で、図７の動作フローを終了する。
【００６０】
［装置間のデータ通信手順］
続いて、図８を参照しつつ、携帯端末１００とＭＦＰ２００との間におけるデータ通信手順について説明する。図８に示すように、ユーザが携帯端末１００をＭＦＰ２００のＮＦＣ読取面５９に近接させることによりＮＦＣ通信が確立する（Ｓ１）。そして、携帯端末１００は、ハンドオーバー要求をＮＦＣ通信にてＭＦＰ２００に送信する（Ｓ２）。ハンドオーバー要求を受信したＭＦＰ２００は、ＮＦＣ通信にて、携帯端末１００にハンドオーバー要求応答を送信する（Ｓ３）。以上により、携帯端末１００とＭＦＰ２００との間でＷＦＤ接続情報が送受信されるので、ＷＦＤ通信を確立することが可能となる。
【００６１】
その後、携帯端末１００が、センサ２０から出力されている姿勢信号を取得し、取得した姿勢信号を、ＮＦＣ通信にてＭＦＰ２００に送信する（Ｓ４）。姿勢信号を受信したＭＦＰ２００は、当該姿勢信号をＲＡＭ６３の姿勢信号記憶領域６３ａに記憶する（Ｓ５）。そして、ＭＦＰ２００は、フラッシュメモリ６４に記憶された印刷設定項目の規定の設定値を、ＲＡＭ６３の設定値記憶領域６３ｂに記憶し、且つ、規定の設定値を示すイメージ画像７１及び文字画像７２を操作パネル５４のディスプレイ５８に表示する（Ｓ６）。
【００６２】
その後、ユーザが携帯端末１００をＭＦＰ２００のＮＦＣ読取面５９から離隔させることによりＮＦＣ通信が切断される（Ｓ７）。次に、ＮＦＣ通信により送受信されたＷＦＤ接続情報に基づいて、携帯端末１００とＭＦＰ２００との間でＷＦＤ通信が確立する（Ｓ８）。携帯端末１００は、ＷＦＤ通信にて、印刷対象の画像データをＭＦＰ２００に送信する（Ｓ９）。ＭＦＰ２００は、受信した画像データをＲＡＭ６３の画像データ記憶領域６３ｃに記憶し（Ｓ１０）、ＷＦＤ通信にて、携帯端末１００に画像データ受信通知を送信する（Ｓ１１）。
【００６３】
次に、ユーザが携帯端末１００をＭＦＰ２００のＮＦＣ読取面５９に再度近接させることにより、ＮＦＣ通信が再度確立する（Ｓ１２）。そして、携帯端末１００は、センサ２０から出力されている姿勢信号を取得し、取得した姿勢信号を、ＮＦＣ通信にてＭＦＰ２００に送信する（Ｓ１３）。姿勢信号を受信したＭＦＰ２００は、当該姿勢信号をＲＡＭ６３の姿勢信号記憶領域６３ａに累積記憶する（Ｓ１４）。
【００６４】
そして、ＭＦＰ２００は、姿勢信号記憶領域６３ａに記憶された姿勢信号のうち、今回のＮＦＣ通信の確立時に受信した姿勢信号と、前回のＮＦＣ通信の確立時に受信した姿勢信号とから、変化情報を生成する（Ｓ１５）。その後、ＭＦＰ２００は、生成された変化情報に基づいて、ＲＡＭ６３の設定値記憶領域６３ｂに記憶された印刷設定項目の設定値を変更し（Ｓ１６）、操作パネル５４のディスプレイ５８に表示されるイメージ画像７１及び文字画像７２を更新する（Ｓ１７）。この後、ユーザが携帯端末１００をＭＦＰ２００のＮＦＣ読取面５９から離隔させることによりＮＦＣ通信が切断される（Ｓ１８）。このステップＳ１２〜Ｓ１８の処理は、ＭＦＰ２００が、ＲＡＭ６３の設定値記憶領域６３ｂに記憶された印刷設定項目の設定値を確定させるまで繰り返される。
【００６５】
ＭＦＰ２００が、設定値記憶領域６３ｂに記憶された印刷設定項目の設定値を確定すると、ＭＦＰ２００は、設定値記憶領域６３ｂに記憶された印刷設定項目の設定値に従って、画像データ記憶領域６３ｃに記憶されている画像データに係る画像を用紙に印刷する（Ｓ１９）。印刷が完了した後は、ＭＦＰ２００が、ＷＦＤ通信にて、印刷完了通知を携帯端末１００に送信する（Ｓ２０）。その後、携帯端末１００とＭＦＰ２００との間のＷＦＤ通信が切断される（Ｓ２１）。
【００６６】
以上、本実施形態によると、ユーザは、ＮＦＣ通信が確立されるときの携帯端末１００の姿勢を変化させることで、ＭＦＰ２００の印刷設定項目の設定値を設定することができる。従って、印刷設定項目の設定値の設定に係るユーザの操作性を向上させることができる。また、本実施形態によると、連続する２回のＮＦＣ通信の確立時における携帯端末１００の姿勢により、変化情報が生成されて、印刷設定項目の設定値が設定されるので、ユーザの操作性を向上させることができる。
また、本実施形態によると、フラッシュメモリ６４には印刷設定項目の規定の設定値が記憶されており、１回目のＮＦＣ通信が切断された後、ＮＦＣ通信が再度確立されなかった場合には、ＭＦＰ２００により、当該規定の設定値に従って印刷が実行される。従って、規定の設定値に従った印刷を、一回のＮＦＣ通信の確立により簡便に行うことができる。
【００６７】
＜第２実施形態＞
次に、本発明の第２実施形態について説明する。第２実施形態は、ＭＦＰ２００の代わりに携帯端末１００が変化情報を生成する点で第１実施形態と異なる。以下においては、上述した実施形態と異なる箇所のみ説明する。
本実施形態では、第１実施形態においてＭＦＰ２００のフラッシュメモリ６４に記憶されていた変化情報生成プログラム６４ｃが、携帯端末１００のフラッシュメモリ３４に記憶されている。そして、携帯端末１００のＣＰＵ３１が、変化情報生成プログラム６４ｃを実行する。また、この変化情報生成プログラム６４ｃを実行するＣＰＵ３１は、生成した変化情報の携帯端末１００からＭＦＰ２００への送信も行う。携帯端末１００のフラッシュメモリ３４に記憶されている姿勢信号取得プログラム３４ｄを実行するＣＰＵ３１は、センサ２０から出力されている姿勢信号の取得のみを行い、姿勢信号のＭＦＰ２００への送信は行わない。
【００６８】
以下、図９を参照しつつ、本実施形態に係る携帯端末１００とＭＦＰ２００との間におけるデータ通信手順について説明する。まず、携帯端末１００とＭＦＰ２００との間で、上述したステップＳ１〜Ｓ３と同様なステップＤ１〜Ｄ３の処理が行われる。この後、携帯端末１００が、センサ２０から出力されている姿勢信号を取得し、取得した姿勢信号を、携帯端末１００のＲＡＭ３３に記憶する（Ｄ４）。この後、上述のステップＳ６〜Ｓ１１と同様なステップＤ５〜Ｄ１０の処理が行われる。
【００６９】
ステップＤ１０の後、ユーザが携帯端末１００をＭＦＰ２００のＮＦＣ読取面５９に再度近接させることにより、ＮＦＣ通信が再度確立する（Ｄ１１）。そして、携帯端末１００は、センサ２０から出力されている姿勢信号を取得し、取得した姿勢信号を、ＲＡＭ３３に累積記憶する（Ｄ１２）。この後、携帯端末１００が、ＲＡＭ３３に記憶された姿勢信号のうち、今回のＮＦＣ通信の確立時に受信した姿勢信号と、前回のＮＦＣ通信の確立時に受信した姿勢信号とから、変化情報を生成する（Ｄ１３）。そして、携帯端末１００は、生成した変化情報を、ＮＦＣ通信にてＭＦＰ２００に送信する（Ｄ１４）。
【００７０】
変化情報を受信したＭＦＰ２００は、当該変化情報に基づいて、ＲＡＭ６３の設定値記憶領域６３ｂに記憶された印刷設定項目の設定値を変更し（Ｄ１５）、ディスプレイ５８に表示されるイメージ画像７１及び文字画像７２を更新する（Ｄ１６）。この後、ＭＦＰ２００から携帯端末１００に対して、設定変更通知がＮＦＣ通信にて送信される（Ｄ１７）。この設定変更通知は、ＭＦＰ２００において印刷設定項目の設定値の変更が完了したことを示す通知である。次に、ユーザが携帯端末１００をＭＦＰ２００のＮＦＣ読取面５９から離隔させることによりＮＦＣ通信が切断される（Ｄ１８）。このステップＤ１１〜Ｄ１８の処理は、ＭＦＰ２００が、ＲＡＭ６３の設定値記憶領域６３ｂに記憶された印刷設定項目の設定値を確定させるまで繰り返される。ＭＦＰ２００が、設定値記憶領域６３ｂに記憶された印刷設定項目の設定値を確定すると、上述のステップＳ１９〜Ｓ２１と同様なステップＤ１９〜Ｄ２１の処理が行われる。
【００７１】
以上、本実施形態においても、ユーザは、ＮＦＣ通信が確立されるときの携帯端末１００の姿勢を変化させることで、ＭＦＰ２００の印刷設定項目の設定値を設定することができる。
【００７２】
＜第３実施形態＞
次に、本発明の第３実施形態について説明する。第３実施形態では、第２実施形態と同様に、携帯端末１００が、携帯端末１００の変化情報を生成する。更に、第３実施形態では、携帯端末１００が、生成された変化情報に基づくＭＦＰ２００の印刷設定項目の設定値の設定、及び印刷設定項目の設定値の確定も行う。以下においては、上述した実施形態と異なる箇所のみ説明する。
本実施形態では、第１実施形態においてＭＦＰ２００のフラッシュメモリ６４に記憶されていた、変化情報生成プログラム６４ｃ、設定値設定プログラム６４ｄ、及び設定値確定プログラム６４ｅが、携帯端末１００のフラッシュメモリ３４に記憶されている。そして、携帯端末１００のＣＰＵ３１が、これらのプログラムを実行する。また、画像データ送信プログラム３４ｃを実行するＣＰＵ３１は、ＭＦＰ２００の印刷設定項目の設定値が確定された後に、携帯端末１００からＭＦＰ２００に対して、印刷対象の画像データ及び確定された印刷設定項目の設定値を送信する。
【００７３】
以下、図１０を参照しつつ、本実施形態に係る携帯端末１００とＭＦＰ２００との間におけるデータ通信手順について説明する。まず、上述したステップＳ１〜Ｓ３と同様なステップＥ１〜Ｅ３の処理が行われる。この後、携帯端末１００が、センサ２０から出力されている姿勢信号を取得し、取得した姿勢信号を、携帯端末１００のＲＡＭ３３に記憶する（Ｅ４）。次に、携帯端末１００が、フラッシュメモリ３４に記憶された印刷設定項目の規定の設定値をＲＡＭ３３に記憶し、且つ、規定の設定値を示すイメージ画像７１及び文字画像７２を携帯端末１００のタッチパネル１２に表示する（Ｅ５）。その後、ユーザが携帯端末１００をＭＦＰ２００のＮＦＣ読取面５９から離隔させることによりＮＦＣ通信が切断される（Ｅ６）。
【００７４】
次に、ユーザが携帯端末１００をＭＦＰ２００のＮＦＣ読取面５９に再度近接させることにより、ＮＦＣ通信が再度確立する（Ｅ７）。そして、携帯端末１００は、センサ２０から出力されている姿勢信号を取得し、取得した姿勢信号を、ＲＡＭ３３に累積記憶する（Ｅ８）。この後、携帯端末１００が、ＲＡＭ３３を参照して、今回のＮＦＣ通信の確立時に受信した姿勢信号と、前回のＮＦＣ通信の確立時に受信した姿勢信号とから、変化情報を生成する（Ｅ９）。そして、携帯端末１００は、生成した変化情報に基づいて、ＲＡＭ３３に記憶された印刷設定項目の設定値を変更し（Ｅ１０）、タッチパネル１２に表示されるイメージ画像７１及び文字画像７２を更新する（Ｅ１１）。この後、携帯端末１００からＭＦＰ２００に対して、設定変更通知がＮＦＣ通信にて送信される（Ｅ１２）。この設定変更通知に対する応答が、ＭＦＰ２００から携帯端末１００に対してＮＦＣ通信にて送信される（Ｅ１３）。次に、ユーザが携帯端末１００をＭＦＰ２００のＮＦＣ読取面５９から離隔させることによりＮＦＣ通信が切断される（Ｄ１４）。このステップＥ７〜Ｅ１４の処理は、携帯端末１００が、ＲＡＭ３３に記憶された印刷設定項目の設定値を確定させるまで繰り返される。
【００７５】
携帯端末１００が、ＲＡＭ３３に記憶された印刷設定項目の設定値を確定すると、ＮＦＣ通信により送受信されたＷＦＤ接続情報に基づいて、携帯端末１００とＭＦＰ２００との間でＷＦＤ通信が確立する（Ｅ１５）。そして、携帯端末１００が、確定した印刷設定項目の設定値、及び印刷対象の画像データを、ＷＦＤ通信にてＭＦＰ２００に送信する（Ｅ１６）。この後、ＭＦＰ２００が、携帯端末１００から受信した画像データに係る画像を、携帯端末１００から受信した印刷設定項目の設定値に従って用紙に印刷する（Ｅ１７）。そして、上述のステップＳ２０，Ｓ２１と同様なステップＥ１８，Ｅ１９の処理が行われる。
【００７６】
以上、本実施形態においても、ユーザは、ＮＦＣ通信が確立されるときの携帯端末１００の姿勢を変化させることで、ＭＦＰ２００の印刷設定項目の設定値を設定することができる。
【００７７】
以上、本発明の好適な実施形態について説明したが、本発明は上述の実施形態に限られるものではなく、特許請求の範囲に記載した限りにおいて様々な変更が可能なものである。従って、本発明の技術思想の範囲内において、上述の実施形態を組み合わせたり、一部の構成を変更したりしてもよい。例えば、上述の実施形態では、第１無線通信としてＮＦＣ通信を、第２無線通信としてＷＦＤ通信を採用し、ＮＦＣ通信からＷＦＤ通信へのハンドオーバーを行っているが、これらに限るものではない。すなわち、通信距離が異なる２つの通信方式であればよく、他の通信方式としては、例えば、第２無線通信の通信方式が、アクセスポイント経由で通信を行う非ダイレクトのＷｉＦｉ（登録商標）であってもよい。また、Ｂｌｕｅｔｏｏｔｈ（登録商標）であってもよい。
【００７８】
また、上述の実施形態において、変化情報に基づいて設定値が設定される印刷設定項目は、印刷面設定項目、及び印刷方向設定項目の２つであったが、特にこれらに限定されるものではない、例えば、カラー印刷及びモノクロ印刷を設定値として有する印刷設定項目の設定値を変化情報に基づいて変更してもよい。また、上述の実施形態では、変化情報は、ｎ＋１回目のＮＦＣ通信が確立したときにセンサから取得した姿勢信号と、ｎ回目のＮＦＣ通信が確立したときにセンサから取得した姿勢信号と、から生成されていたが、複数の姿勢信号から生成されるのであれば、これに限定されるものではない。例えば、３回目以降のＮＦＣ通信が確立したときにおいて、当該ＮＦＣ通信が確立したときにセンサから取得した姿勢信号と、１回目のＮＦＣ通信が確立したときにセンサから取得した姿勢信号と、から変化情報を生成してもよい。
【００７９】
また、上述の実施形態において、ＭＦＰ２００のＮＦＣ読取面５９は、水平面に平行な面とされていたが、特にこれに限定されるものではなく、例えば、鉛直面に平行な面とされていてもよい。この場合、重力方向センサ２１により、鉛直方向に対する、携帯端末１００のＹ軸の正方向を鉛直面に射影したベクトルがなす角度を示す信号を上述の方位信号に相当する信号として出力する。また、方位センサ２２により、真北に対する、携帯端末１００のＺ軸の正方向を水平面に射影したベクトルがなす角度に基づいて、ＮＦＣ読取面５９に対する、携帯端末１００の基準面１０２及び裏面１０３の位置関係を示す信号を上述の下面信号に相当する信号として出力すればよい。
また、センサは、上述の実施形態に限られるものではなく、携帯端末１００の姿勢に関する信号を出力するものであればよい。画像記録装置は、ＭＦＰに限らず、印刷機能を備えるものであればよい。
【００８０】
また、印刷設定項目の規定の設定値を用いずに、各印刷設定項目の設定値の設定が行われるように構成されていてもよい。この場合、印刷設定項目の設定値を設定するために少なくとも２回のＮＦＣ通信の確立が必要となるため、変化情報が確定変化情報であることに起因する印刷設定項目の設定値の確定は、３回目のＮＦＣ通信が確立されたとき以降となる。
【００８１】
また、上述の実施形態では、１回目のＮＦＣ通信が確立したときにおいて、携帯端末１００とＭＦＰ２００との間で、双方向に、それぞれの装置に係るＷＦＤ接続情報の送受信がおこなわれていたが、一方の装置から他方の装置への一方向にのみＷＦＤ接続情報が送信されるように構成されていてもよい。例えば、１回目のＮＦＣ通信が確立したときにおいて、携帯端末１００からＭＦＰ２００対して、携帯端末１００に係るＷＦＤ接続情報のみＮＦＣ通信にて送信されるように構成されていてもよい。この場合、携帯端末１００がＭＦＰ２００を特定するために必要なＭＦＰ２００の固有情報は、ＷＦＤ通信にてＭＦＰ２００から携帯端末１００に送信すればよい。
また、上述の実施形態に開示されている処理は、単一のＣＰＵ、複数のＣＰＵ、ＡＳＩＣなどのハードウェア、又はそれらの組み合わせで実行されてもよい。また、ＣＰＵは、一部の処理をＯＳに従い行ってもよい。また、実施形態に開示されている処理は、その処理を実行するためのプログラムを記録した記録媒体、又は方法等の種々の態様で実現することができる。また、携帯端末において、画像データと携帯端末に係るＷＦＤ接続情報は、同一のメモリに記憶されていてもよい。
【符号の説明】
【００８２】
１５    ＮＦＣインターフェース（携帯端末側第１通信手段）
１６    無線ＬＡＮインターフェース（携帯端末側第２通信手段）
１７ａ  メモリーカード（記憶手段）
２０    センサ
３０    制御部（携帯端末側制御手段）
５１  印刷機構（記録手段）
５４  ＮＦＣインターフェース（画像記録装置側第１通信手段）
５５  無線ＬＡＮインターフェース（画像記録装置側第２通信手段）
６０    制御部（画像記録装置側制御手段）
１００    携帯端末
２００    複合機（画像記録装置）
９００    画像記録システム
【図１】
2014167747.tif 000003
【図２】
2014167747.tif 000004
【図３】
2014167747.tif 000005
【図４】
2014167747.tif 000006
【図５】
2014167747.tif 000007
【図６】
2014167747.tif 000008
【図７】
2014167747.tif 000009
【図８】
2014167747.tif 000010
【図９】
2014167747.tif 000011
【図１０】
2014167747.tif 000012